(57)【要約】【課題】バーナ本体の損傷を回避しつつ、バーナ装置のメンテナンスによる燃焼炉の稼働率の低下を抑制可能なバーナ装置を提供する。【解決手段】バーナ装置は、燃焼炉の炉壁から炉内に突出される突出部を有するバーナ本体と、突出部の外周面を取り囲むように設けられた、バーナ本体を冷却するための冷却媒体が流通する冷却管と、冷却管の内部の光を検出するための光検出手段と、を備える。【選択図】  図２Ａ
2018066524.tif 000002
【特許請求の範囲】
【請求項１】
燃焼炉の炉壁から炉内に突出される突出部を有するバーナ本体と、
前記突出部の外周面を取り囲むように設けられた、前記バーナ本体を冷却するための冷却媒体が流通する冷却管と、
前記冷却管の内部の光を検出するための光検出手段と、を備えることを特徴とするバーナ装置。
【請求項２】
前記光検出手段は、
前記冷却管の内部に設置される、光を伝送するための光伝送部材と、
前記光伝送部材によって伝送された前記冷却管内からの光を検出する光検出器と、を有することを特徴とする請求項１に記載のバーナ装置。
【請求項３】
前記光伝送部材は光ファイバであることを特徴とする請求項２に記載のバーナ装置。
【請求項４】
前記光ファイバは、複数の光ファイバからなり、
前複数の光ファイバの各々の先端は、前記冷却管における相互に異なる位置にそれぞれ配置されていることを特徴とする請求項３に記載のバーナ装置。
【請求項５】
前記冷却管は、
前記炉内突出部の外周面の先端部を含む先端側領域を取り囲むように設けられた、前記バーナ本体を冷却するための冷却媒体が流通する先端側冷却管と、
前記炉内突出部の外周面の基端部と前記先端側領域との間の基端側領域を取り囲むように設けられた、前記冷却媒体が流通する基端側冷却管と、を含み、
前記光伝送部材は、前記先端側冷却管の内部に設置されることを特徴とする請求項２〜４のいずれか１項に記載のバーナ装置。
【請求項６】
前記バーナ装置は、さらに、
前記先端側冷却管に前記冷却媒体を供給するための第１冷却媒体供給管と、
前記基端側冷却管に前記冷却媒体を供給するための第２冷却媒体供給管と、を備えることを特徴とする請求項５に記載のバーナ装置。
【請求項７】
請求項１〜４のいずれか１項に記載のバーナ装置の冷却管の破損を検出するバーナ装置の冷却管破損検出方法であって、
前記冷却管に前記冷却媒体を供給するバーナ本体冷却ステップと、
前記光検出手段により、前記冷却管の内部の光を監視する冷却管内部光監視ステップと、
前記冷却管内部光監視ステップによる監視結果に基づいて、前記冷却管に破損が生じたか否かを判定する破損判定ステップと、を備えることを特徴とするバーナ装置の冷却管破損検出方法。
【請求項８】
請求項６に記載のバーナ装置の冷却管に対する冷却媒体の供給を制御するバーナ装置の冷却媒体制御方法であって、
前記第１冷却媒体供給管から前記先端側冷却管に前記冷却媒体を供給する先端側領域冷却ステップと、
前記第２冷却媒体供給管から前記基端側冷却管に前記冷却媒体を供給する基端側領域冷却ステップと、
前記光検出手段により、前記冷却管の内部の光を監視する冷却管内部光監視ステップと、
前記光監視ステップによる監視結果に基づいて、前記先端側冷却管に破損が生じたか否かを判定する破損判定ステップと、
前記破損判定ステップによって前記先端側冷却管に破損が生じたと判定した場合に、前記先端側冷却管への前記冷却媒体の供給のみを停止する先端側領域冷却停止ステップと、を備えることを特徴とするバーナ装置の冷却媒体制御方法。
【発明の詳細な説明】
【技術分野】
【０００１】
本開示は、ガス化炉などの燃焼炉の炉内に設置され、バーナを冷却するための冷却管を備えるバーナ装置に関する。
【背景技術】
【０００２】
石炭をガス化する方法としては、高温に保持されたガス化炉内に石炭等の微粉固体燃料と酸素や空気等のガス化剤をバーナから供給し、燃料中の可燃分を燃焼させることで一酸化炭素や水素などの可燃性ガスを生じさせ、灰分を有害成分の含まないスラグに変換して回収する気流層石炭ガス化法が知られている。この方法によれば、燃料ガスが高い効率で得られるとともに、環境保全性も優れ、しかも適用可能な原料種が多いため、石炭ガス化複合発電システム（ＩＧＣＣ）や石炭ガス化燃料電池複合発電システム等の次世代火力発電システム、石炭液化用、化学原料用等に用いる水素製造システム等への利用が期待されている。また、ガス化炉は、バイオマス燃料を熱化学的にガス化する際にも用いられる。
【０００３】
この種のガス化プラントに使用されるガス化炉には、微粉固体燃料を噴射するためのガス化用バーナ（以下、バーナ装置と略す。）が設けられている。このバーナ装置は一般に炉外から炉壁の貫通孔を通じて挿入され、その先端部が炉内に突き出た状態で炉壁に装着されている。炉内へ挿入されたバーナ装置の先端部は、灰の溶融温度以上の高温に曝されるだけでなく、溶融スラグの付着、剥離等により、大きな熱負荷を受けることがある。このようにバーナ装置の先端部が大きな熱負荷を受けた場合、先端部の溶損、き裂の発生、高温腐食による減肉等が発生し、バーナ装置の寿命が著しく低下する。
【０００４】
このため、例えば特許文献１〜３では、バーナ本体の外周を冷却水が流れる冷却管で取り囲むことにより、バーナ本体の冷却を図っている。より具体的には、特許文献１〜３では、冷却管は、バーナ装置のバーナ本体におけるガス化炉の炉壁から炉内に突き出した部分（以下、炉内突出部）に螺旋状に巻き回されるように、バーナ本体に接触して設けられている。なお、特許文献３では、バーナ本体に設けられた冷却管のうち炉内突出部の基端部（根元）から炉外の側に位置する冷却管と、炉内突出部に設けられた冷却管とをそれぞれ独立した冷却媒体系統にしても良いとされている。
【先行技術文献】
【特許文献】
【０００５】
【特許文献１】特開２０１５−１６１４６２号公報
【特許文献２】特許５８１８５５０号公報
【特許文献２】特許５９６８２４７号公報
【発明の概要】
【発明が解決しようとする課題】
【０００６】
特許文献１〜３では、上述したようにバーナ本体を冷却管で取り囲むことにより、燃焼炉の運転時の熱負荷からバーナ装置の炉内突出部を保護している。しかしながら、運転時において炉内は非常に高温となるため、炉内の火炎による輻射や熱気流、炉内で生じる溶融スラグなどによって炉内突出部に設けられた冷却管が次第に減耗し、冷却管の内部を流通する冷却媒体が炉内に漏出する場合がある。そして、冷却管から炉内に漏出する冷却媒体の漏出量が多くなると、冷却管あるいはバーナ装置等の交換のために燃焼炉を停止せざるを得ず、燃焼炉（プラント）の稼働率を低下させてしまう。
【０００７】
そこで、燃焼炉の稼働率の低下をできるだけ抑制するために、冷却管における冷却媒体の流通量を絞る（減らす）ことにより、冷却媒体の炉内への漏出量の低減を図ることも本発明者らには考えられた。この手法によれば、燃焼炉の運転の停止を即座に行わずに先延ばしすることができるので、先延ばししている間に、交換品等の手配などといったメンテナンス作業の準備を行うことができる。このため、実際のメンテナンス作業に必要な時間のみ燃焼炉を停止すれば良いので、運転の停止時間の短縮により稼働率の低下を抑制することはできるが、減耗した冷却管のみならず、バーナ本体といったバーナ装置全体の損傷を引き起こす可能性がある。
【０００８】
上述の事情に鑑みて、本発明の少なくとも一実施形態は、バーナ本体の損傷を回避しつつ、バーナ装置のメンテナンスによる燃焼炉の稼働率の低下を抑制可能なバーナ装置を提供することを目的とする。
【課題を解決するための手段】
【０００９】
（１）本発明の少なくとも一実施形態に係るバーナ装置は、
燃焼炉の炉壁から炉内に突出される突出部を有するバーナ本体と、
前記突出部の外周面を取り囲むように設けられた、前記バーナ本体を冷却するための冷却媒体が流通する冷却管と、
前記冷却管の内部の光を検出するための光検出手段と、を備える。
【００１０】
燃焼炉の運転時において、炉内の火炎による輻射や熱気流、炉内で生じるスラグなどによって冷却管が減耗し穴が開くと、炉内での燃焼（火炎）による光が冷却管の内部に届くようになる。上記（１）の構成によれば、バーナ装置は、冷却管の内部の光を検出するための光検出手段を備えているので、光検出手段によって検出される光を監視することにより、冷却管に破損（穴）が生じたことを早期に検出することができる。
【００１１】
また、冷却管からの冷却媒体の漏出量が過大になると燃焼炉の運転を停止せざるを得なくなるが、冷却管に破損（穴）が生じたことを早期に検出することによって、この検出から燃焼炉の運転停止に至るまでの猶予期間を作ることが可能となる。このため、この猶予期間において、交換品の準備や、点検すべき部位の特定といったメンテナンス作業の準備をすることにより、燃焼炉の停止後にメンテナンス作業の準備および実際のメンテナンス作業をする場合よりも、燃焼炉の停止時間を短縮することが可能となる。したがって、バーナ本体が損傷する前に燃焼炉を停止することによりバーナ本体の損傷を回避しつつ、バーナ装置のメンテナンスによる燃焼炉の稼働率の低下を抑制することができる。
【００１２】
（２）幾つかの実施形態では、上記（１）の構成において、
前記光検出手段は、
前記冷却管の内部に設置される、光を伝送するための光伝送部材と、
前記光伝送部材によって伝送された前記冷却管内からの光を検出する光検出器と、を有する。
上記（２）の構成によれば、冷却管の内部の光は光伝送部材によって光検出器に伝送されると共に、光検出器によって冷却管の内部の光が検出されることにより、燃焼炉の運転時における冷却管の破損（穴）の監視、検出がなされる。これによって、炉内の高温環境に光検出器を設置することなく、光検出手段によって冷却管の内部の光を適切に検出することができ、燃焼炉の運転時において冷却管の破損（穴）を適切に検出することができる。
【００１３】
（３）幾つかの実施形態では、上記（２）の構成において、
前記光伝送部材は光ファイバである。
上記（３）の構成によれば、燃焼炉の高温環境に耐えることが可能な光ファイバを炉内に設置することによって、冷却管内の光を光検出器に適切に伝送することができる。
【００１４】
（４）幾つかの実施形態では、上記（３）の構成において、
前記光ファイバは、複数の光ファイバからなり、
前複数の光ファイバの各々の先端は、前記冷却管における相互に異なる位置にそれぞれ配置されている。
上記（４）の構成によれば、冷却管における相互に異なる複数の位置での破損（穴）の発生の有無を、複数の光ファイバの各々によってそれぞれ監視することができ、冷却管の破損（穴）の発生により生じる光の変化をより感度良く検出することができる。
【００１５】
（５）幾つかの実施形態では、上記（２）〜（４）の構成において、
前記冷却管は、
前記炉内突出部の外周面の先端部を含む先端側領域を取り囲むように設けられた、前記バーナ本体を冷却するための冷却媒体が流通する先端側冷却管と、
前記炉内突出部の外周面の基端部と前記先端側領域との間の基端側領域を取り囲むように設けられた、前記冷却媒体が流通する基端側冷却管と、を含み、
前記光伝送部材は、前記先端側冷却管の内部に設置される。
【００１６】
本発明者らによって、燃焼炉の運転時において、炉内の火炎による輻射や熱気流、炉内で生じる溶融スラグなどによる冷却管の破損（穴）は、主に、炉内突出部の先端側領域を取り囲む部分において発生することが見出された。
上記（５）の構成によれば、炉内突出部の先端側領域を取り囲む先端側冷却管の内部に光伝送部材（例えば光ファイバ）が設置される。これによって、冷却管の破損を、より破損の可能性が高い箇所に絞って監視することができるので、燃焼炉の運転時における冷却管の破損を効率的に早期に検出することができる。なお、先端側冷却管および基端側冷却管は相互に接続された冷却管であっても良いし、互いに独立した冷却管であっても良い。
【００１７】
（６）幾つかの実施形態では、上記（５）の構成において、
前記バーナ装置は、さらに、
前記先端側冷却管に前記冷却媒体を供給するための第１冷却媒体供給管と、
前記基端側冷却管に前記冷却媒体を供給するための第２冷却媒体供給管と、を備える。
上記（６）の構成によれば、バーナ本体の炉内突出部には、その先端側領域を冷却するための冷却系統（先端側冷却管および第１冷却媒体供給管）、および、基端側領域を冷却するための冷却系統（基端側冷却管および第２冷却媒体供給管）の２つの冷却系統が設けられている。これによって、先端側冷却管のみ交換等をすることができるので、メンテナンス作業を効率的に行うことができ、バーナ装置のメンテナンスによる燃焼炉の稼働率の低下をさらに抑制することができる。
【００１８】
（７）本発明の少なくとも一実施形態に係る破損検出方法は、
上記（１）〜（４）のいずれか１項に記載のバーナ装置の冷却管の破損を検出するバーナ装置の冷却管破損検出方法であって、
前記冷却管に前記冷却媒体を供給するバーナ本体冷却ステップと、
前記光検出手段により、前記冷却管の内部の光を監視する冷却管内部光監視ステップと、
前記冷却管内部光監視ステップによる監視結果に基づいて、前記冷却管に破損が生じたか否かを判定する破損判定ステップと、を備える。
【００１９】
上記（７）の構成によれば、上記（１）と同様の効果を奏することができる。
【００２０】
（８）本発明の少なくとも一実施形態に係るバーナ装置の冷却媒体制御方法は、
上記（６）に記載のバーナ装置の冷却管に対する冷却媒体の供給を制御するバーナ装置の冷却媒体制御方法であって、
前記第１冷却媒体供給管から前記先端側冷却管に前記冷却媒体を供給する先端側領域冷却ステップと、
前記第２冷却媒体供給管から前記基端側冷却管に前記冷却媒体を供給する基端側領域冷却ステップと、
前記光検出手段により、前記冷却管の内部の光を監視する冷却管内部光監視ステップと、
前記光監視ステップによる監視結果に基づいて、前記先端側冷却管に破損が生じたか否かを判定する破損判定ステップと、
前記破損判定ステップによって前記先端側冷却管に破損が生じたと判定した場合に、前記先端側冷却管への前記冷却媒体の供給のみを停止する先端側領域冷却停止ステップと、を備える。
【００２１】
上記（８）の構成によれば、先端側冷却管への冷却媒体の供給のみを停止することによって炉内への冷却媒体の漏出の停止を図りつつ、基端側冷却管によるバーナ本体の冷却を継続することができる。換言すれば、基端側冷却管による冷却によってバーナ本体の焼損を回避した状態で、燃焼炉の運転の停止を即座に行わずに先延ばしすることができ、先端側冷却管からの冷却媒体の漏出の検出から燃焼炉の運転停止までの猶予期間をさらに延長することができ、メンテナンスの準備のための時間が十分に取れるように図ることができる。
【発明の効果】
【００２２】
本発明の少なくとも一実施形態によれば、バーナ本体の損傷を回避しつつ、バーナ装置のメンテナンスによる燃焼炉の稼働率の低下を抑制可能なバーナ装置が提供される。
【図面の簡単な説明】
【００２３】
【図１】本発明の一実施形態に係る燃焼炉の断面概略図である。
【図２Ａ】図１の燃焼炉における１本の冷却管を備えたバーナ装置の設置位置を拡大した概略図であり、バーナ装置は窪み部から突出している。
【図２Ｂ】図２Ａのａａ断面を示す図である。
【図３Ａ】図１の燃焼炉における複数本の冷却管を備えたバーナ装置の設置位置を拡大した概略図であり、バーナ装置は窪み部から突出している。
【図３Ｂ】図３Ａのａａ断面を示す図である。
【図４】本発明の一実施形態に係るバーナ装置の設置位置を拡大した概略図であり、バーナ装置は窪み部ではない炉壁から突出している。
【図５Ａ】本発明の一実施形態に係るバーナ装置の設置位置を拡大した概略図であり、冷却管は円筒状の流路を形成している。
【図５Ｂ】図５Ａを矢印Ａの方向から見た図である。
【図５Ｃ】図５Ａのａａ断面を示す図である。
【図５Ｄ】図５Ａのｂｂ断面を示す図である。
【図６】本発明の一実施形態に係るバーナ装置の冷却管破損検出方法を示すフロー図である。
【図７】本発明の一実施形態に係るバーナ装置の冷却媒体制御方法を示すフロー図である。
【発明を実施するための形態】
【００２４】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２５】
図１は、本発明の一実施形態に係るバーナ装置１を備える燃焼炉７の断面概略図である。図１に示される燃焼炉７は石炭をガスに転換するガス化炉となっている。図１に示される実施形態のガス化炉は、図１に示されるように、コンバスタ部７ｃとリダクタ部７ｒを有している。コンバスタ部７ｃには、微粉炭バーナ１２及びチャーバーナ１４が設けられ、リダクタ部７ｒにはガス化バーナ１６が設けられている。微粉炭バーナ１２には、炭素含有燃料として微粉状にされた石炭（微粉炭）を供給する微粉炭供給経路８１と、酸化剤としての酸素含有ガス（例えば空気）を供給する酸化剤供給経路８２とが接続される。また、チャーバーナ１４にはチャー（未燃粒子）を供給するチャー供給流路８３が接続される。ガス化バーナ１６には、上述した微粉炭供給経路８１が接続される。
【００２６】
そして、ガス化炉の運転時において、コンバスタ部７ｃに投入された空気と石炭が燃焼して例えば１８００℃などの高温となり、石炭中の灰は溶けて溶融スラグ（液相）となって流れ落ち、コンバスタ部７ｃで燃焼して生成した高温の可燃性ガスは上昇する。この高温の可燃性ガスは、リダクタ部７ｒにおいて新たに投入された石炭と反応し、これによって、効率良く石炭をガスに転換することが可能となっている。なお、溶融スラグは、燃焼炉７の炉壁７１の内面を伝って排出口７２から排出される。排出口７２から排出された溶融スラグは、燃焼炉７の底部に貯留された水と接触して水砕スラグとなり、炉外に排出される。
【００２７】
次に、本発明の一実施形態に係るバーナ装置１について、図２Ａ〜図５Ｄを用いて説明する。
図２Ａは、図１の燃焼炉における１本の冷却管を備えたバーナ装置１の設置位置を拡大した概略図であり、バーナ装置１は窪み部７３から突出している。図２Ｂは、図２Ａのａａ断面を示す図である。図３Ａは、図１の燃焼炉７における複数本の冷却管３を備えるバーナ装置１の設置位置を拡大した概略図であり、バーナ装置は窪み部７３から突出している。図３Ｂは、図３Ａのａａ断面を示す図である。図４は、本発明の一実施形態に係るバーナ装置１の設置位置を拡大した概略図であり、バーナ装置１は窪み部７３ではない炉壁７１から突出している。図５Ａは、本発明の一実施形態に係るバーナ装置１の設置位置を拡大した概略図であり、冷却管３は円筒状の流路を形成している。図５Ｂは、図５Ａを矢印Ａの方向から見た図である。図５Ｃは、図５Ａのａａ断面を示す図である。また、図５Ｄは、図５Ａのｂｂ断面を示す図である。
【００２８】
図２Ａ〜図５Ｄに示されるように、バーナ装置１は、燃焼炉７の炉壁７１に形成された開口部を貫通するようにして設置される装置であり、バーナ本体２と、冷却管３と、光検出手段６と、を備える。
以下、バーナ装置１が備える上記の各々を説明する。なお、以下の説明では、上述した微粉炭バーナ１２を例としてバーナ装置１を説明するが、他の幾つかの実施形態では、バーナ装置１は、冷却管３を備えるものであれば、燃焼炉７に用いられる微粉炭バーナ１２やチャーバーナ１４、ガス化バーナ１６などのバーナであっても良い。
【００２９】
バーナ本体２は、燃焼炉７の炉壁７１に形成された開口部を貫通して設置される部分であり、バーナ本体２が前述の開口部に設置された際に、燃焼炉７の炉壁７１から炉内に突出する部分となる炉内突出部２２を有する（図２Ａ、図３Ａ、図４、図５Ａ参照）。つまり、炉内突出部２２は、バーナ本体２における、燃焼炉７の炉壁７１の位置（根元）を含む基端部２２ｂから先端部２２ｔまでの部分となる。また、炉内突出部２２の外周面は、後述するように、突出する方向の先端側と基端側との間で先端側領域Ｒ１および基端側領域Ｒ２に分けられる。そして、炉内突出部２２は燃焼炉７の炉内に位置することから、燃焼炉７の運転時には、炉内の火炎による輻射や熱気流に晒されるだけでなく、溶融スラグの付着、剥離等により大きな熱負荷を受ける。このため、後述する冷却管３によって冷却されるようになっている。なお、図２Ａ〜図５Ｄに示される実施形態では、燃焼炉７の炉外側には、開口部を覆うように耐火材（例えばアルミナ、ＳｉＣ）が充填されたシールボックス（不図示）が設けられており、開口部において炉壁７１とバーナ装置１との隙間が耐火材７５で埋められている。
【００３０】
また、図２Ａ〜図５Ｄに示される実施形態では、バーナ本体２は円筒状の形状を有している。また、図２Ａ〜図５Ｄに示されるように、円筒状のバーナ本体２の内部には、その中心部分に円筒状の形状を有する燃料供給管部２６が設けられている。そして、円筒状の燃料供給管部２６の内部によって燃料供給路２４が形成されており、燃料供給路２４は、上述した微粉炭供給経路８１に連通されることにより、微粉炭が通過するよう構成されている。また、バーナ本体２の内部においては、円筒状の外壁から離間するように円筒状の燃料供給管部２６が設けられることによって、円筒状の燃料供給管部２６の管壁と円筒状のバーナ本体２の外壁との間に、酸化剤供給路２５となる円筒状の空間を形成している。そして、酸化剤供給路２５は、上述した酸化剤供給経路８２に連通しており、酸素含有ガスが通過するよう構成されている。
【００３１】
冷却管３は、バーナ本体２を冷却するための冷却媒体Ｗが流通するよう構成されており、バーナ本体２を冷却するために、バーナ本体２（炉内突出部２２）に接触した状態で設けられる。幾つかの実施形態では、図２Ａ〜図２Ｂに示されるように、１本の冷却管３によって、炉内突出部２２が取り囲まれており、冷却管３は、炉内突出部２２の外周面の先端部２２ｔを含む先端側領域Ｒ１を取り囲む部分（先端側冷却管３１）と、炉内突出部２２の外周面の基端部２２ｂと先端側領域Ｒ１との間の基端側領域Ｒ２を取り囲む部分（基端側冷却管３２）とを有している。
他の幾つかの実施形態では、図３Ａ〜図５Ｄに示されるように、冷却管３は、上記の先端側冷却管３１と、上記の基端側領域Ｒ２を取り囲むように設けられた基端側冷却管３２の２つの管からなっている。この場合には、先端側冷却管３１および基端側冷却管３２は互いに独立した異なる管となっており、互いに独立した冷却系統で冷却媒体Ｗを流通させるよう構成される。つまり、先端側冷却管３１および基端側冷却管３２の各々は、冷却媒体Ｗの入口および出口をそれぞれ有しており、例えば、先端側冷却管３１の出口３１ｅと基端側冷却管３２の入口３２ｉとが直接連結されていないし、基端側冷却管３２の出口３２ｅと先端側冷却管３１の入口３１ｉとが直接連結されてもいない。
なお、図２Ａ〜図５Ｄに示される実施形態では、基端側冷却管３２は、炉内突出部２２の基端側領域Ｒ２のみならず、燃焼炉７の炉壁７１の開口部に位置するバーナ本体２の部分も共に取り囲むように構成されている。
【００３２】
また、上述した先端側領域Ｒ１は、後述するように、燃焼炉７の運転時の熱負荷によって破損が特に生じやすい冷却管３の部分領域を含む領域であり、基端側領域Ｒ２は、先端側領域Ｒ１を除いた部分から構成される領域となる。幾つかの実施形態では、炉内突出部２２の先端側領域Ｒ１は、炉内突出部２２の全長（図２Ａ、図３Ａ、図４、図５Ａにおいて、Ｒ１とＲ２で示される長さを足した長さに相当する長さ）の半分の位置よりも先端部２２ｔ側に位置する。上記の構成によれば、減耗による破損（穴）が生じやすい領域に先端側冷却管３１を確実に配置することができると共に、減耗がしにくい領域に基端側冷却管３２を確実に配置することができる。また、幾つかの実施形態では、先端側冷却管３１および基端側冷却管３２は同じ材料で形成されていても良いし、他の幾つかの実施形態では、減耗の特に生じやすい先端側冷却管３１を基端側冷却管３２よりも耐摩耗性や耐熱性に優れた材料で形成しても良い。
【００３３】
また、冷却管３の冷却媒体Ｗの入口３ｉに冷却媒体供給管４が接続される。冷却媒体供給管４は、冷却管３に冷却媒体Ｗを供給するための流路を形成する管状の部材である。
幾つかの実施形態では、図２Ａ〜図２Ｂに示されるように、１本の冷却媒体供給管４が、冷却管３の入口３１ｉ（先端側冷却管３１の入口３１ｉ）に接続されており、冷却媒体供給管４を流れてきた冷却媒体Ｗが上記の入口３１ｉから冷却管３（先端側冷却管３１）に供給される。そして、冷却管３に供給された冷却媒体Ｗは、先端側冷却管３１の部分および基端側冷却管３２の部分をこの順で通過した後に、管外への排出口となる出口３ｅ（基端側冷却管３２の出口３２ｅ）に接続される冷却媒体排出管５を通って、例えば炉外に排出される。
【００３４】
他の幾つかの実施形態では、図３Ａ〜図５Ｄに示されるように、冷却管３は、第１冷却媒体供給管４１および第２冷却媒体供給管４２を含んでいる。第１冷却媒体供給管４１は、先端側冷却管３１に冷却媒体Ｗを供給するための冷却媒体供給管４であり、先端側冷却管３１に接続されることにより、その入口３１ｉ側から先端側冷却管３１に冷却媒体Ｗを供給するよう構成される。そして、先端側冷却管３１に供給された冷却媒体Ｗは、先端側冷却管３１を通過した後に、その出口３１ｅに接続される第１冷却媒体排出管５１を通って、例えば炉外に排出される。
他方、第２冷却媒体供給管４２は、基端側冷却管３２に冷却媒体Ｗを供給するための冷却媒体供給管４であり、基端側冷却管３２に接続されることにより、その入口３２ｉ側から基端側冷却管３２に冷却媒体Ｗを供給するよう構成される。そして、基端側冷却管３２に供給された冷却媒体Ｗは、基端側冷却管３２を通過した後に、その出口３２ｅに接続される第２冷却媒体排出管５２を通って、例えば炉外に排出される。
【００３５】
上述した何れの実施形態でも、炉内突出部２２の先端部２２ｔ側から基端部２２ｂ側に向けて冷却媒体Ｗを流通させることで、より低温の冷却媒体Ｗによる先端部２２ｔ側の効率的な冷却を図っている。ただし、この実施形態には限定されず、他の幾つかの実施形態では、炉内突出部２２の基端部２２ｂ側から先端部２２ｔ側に向けて冷却媒体Ｗを流通させても良い。
【００３６】
図２Ａ〜図５Ｄに示される実施形態では、冷却媒体供給管４（第１冷却媒体供給管４１および第２冷却媒体供給管４２）への冷却媒体Ｗの供給は、冷却媒体供給装置９を用いて行われている。冷却媒体供給装置９は、例えば燃焼炉７の炉外などに設置された貯水タンク９１からポンプ９２などを用いて冷却媒体Ｗを供給するように構成されていても良い。また、図２Ａ〜図５Ｄに示される実施形態では、冷却媒体排出管５（第１冷却媒体排出管５１および第２冷却媒体排出管５２）を用いて冷却管３から排出された冷却媒体Ｗは、冷却後に、再度、冷却媒体供給管４（第１冷却媒体供給管４１および第２冷却媒体供給管４２）に供給されることで、冷却媒体Ｗを循環させるシステムとなっている。この際、図３Ａ〜図５Ｄに示される実施形態では、図３Ａ、図４、図５Ａに示されるように、第１冷却媒体排出管５１から先端側冷却管３１に循環される流路と、第２冷却媒体排出管５２からから先端側冷却管３１に循環される流路とが、それぞれ個別のライン（管）によって形成されても良い。あるいは、他の幾つかの実施形態では、共通化された循環流路の、例えば貯水タンク９１の上流側やポンプ９２の上流側などの適切な位置に設けられた分岐部から、第１冷却媒体供給管４１および第２冷却媒体供給管４２に分岐するように構成されていても良い。また、図２Ａ〜図５Ｄに示される実施形態において、１以上の冷却系統が、先端側領域Ｒ１および基端側領域Ｒ２の少なくとも一方に設けられることで、バーナ装置１は、２以上の複数の冷却系統を有していても良い。
【００３７】
光検出手段６は、冷却管３の内部の光を検出する。図２Ａ〜図５Ｄに示されるように、光検出手段６は、その少なくとも一部（図２Ａ〜図５Ｄに示される実施形態では、光検出手段６が備える光ファイバ６２の光伝送部材６１）が冷却管３の内部に設置される。幾つかの実施形態では、図２Ａ〜図５Ｄに示されるように、光検出手段６は、先端側冷却管３１の内部に設置されており、先端側冷却管３１の内部の光を検出するように構成される。他の幾つかの実施形態では、光検出手段６は基端側冷却管３２の内部に設置されても良く、基端側冷却管３２の内部の光を検出するように構成される。その他の幾つかの実施形態では、光検出手段６は、先端側冷却管３１の内部および基端側冷却管３２の内部の両方に設置されても良く、先端側冷却管３１の内部の光および基端側冷却管３２の内部の光の両方を検出する。
【００３８】
ここで、燃焼炉７の運転時において、炉内の火炎による輻射や熱気流、炉内で生じるスラグなどによって冷却管３が減耗し、穴が開くなどして破損すると、その破損個所（穴）を介して炉内での燃焼（火炎）による光が冷却管３の内部に届くようになり、冷却管３の内部がより明るくなる。光検出手段６は、このような冷却管３の破損（穴）によって、燃焼炉７の運転時に冷却管３の内部がより明るくなるという現象を検出しようとするための構成となる。
【００３９】
より詳細には、冷却管３からの冷却媒体Ｗの漏出は、冷却管３が破損し、穴が開くことにより生じるところ、冷却管３から冷却媒体Ｗが漏出する程度に冷却管が破損した直後においては、漏出した冷却媒体Ｗによる影響は小さく、燃焼炉７の運転を継続することが可能である。しかし、時間の経過に伴って冷却管３がさらに減耗していく結果、冷却管３における破損（穴）が徐々に広がり、より多量の冷却媒体Ｗが冷却管３から漏出するようになる。そして、最終的には、冷却管３からの冷却媒体Ｗの漏出量による影響が大きくなり、燃焼炉７の運転を停止する必要がある状況にまで至る。
【００４０】
このようにして、冷却管３からの冷却媒体Ｗの漏出は増えていくなかで、従来は、例えば燃焼炉７の運転時の炉内状況を監視することにより、冷却管３からの冷却媒体Ｗの漏出を検出していた。具体的には、冷却管３から冷却媒体Ｗが漏出すると、例えばコンバスタ部７ｃなどの炉内の温度が下がるので、燃焼炉７の排出口７２などにおいて溶融スラグの流れが悪くなるとう現象が生じる。また、リダクタ部７ｒから上へ上昇するガス化ガスの成分が変化するという現象が生じる。具体的には、冷却媒体Ｗの漏出時には、ガス化ガスの一成分となる水素や二酸化炭素、水の成分が正常時と比べると増加し、逆に、一酸化炭素が正常時と比べると低下する。しかしながら、このような炉内状況の変化は、冷却管３から比較的大量の冷却媒体Ｗが漏出しないと検出できないため、検出すると直ぐに燃焼炉７を停止する必要が生じる。
【００４１】
ところが、このような従来の方法に対して、光検出手段６を用いて検出される冷却管３の内部の光の状況（照度や光強度など）は、冷却管３の破損による穴が生じた時点から変化する。しがたって、光検出手段６によって、冷却管３からの冷却媒体Ｗの漏出を早期に検出することが可能となる。
【００４２】
上記の構成によれば、バーナ装置１は、冷却管３の内部の光を検出するための光検出手段６を備えており、光検出手段６によって検出される光を監視することにより、冷却管３に破損（穴）が生じたことをより早期に検出することができる。
また、冷却管３からの冷却媒体Ｗの漏出量が過大になると燃焼炉７の運転を停止せざるを得なくなるが、冷却管３に破損（穴）が生じたことを早期に検出することによって、この検出から燃焼炉７の運転停止に至るまでの猶予期間を作ることが可能となる。このため、この猶予期間において、交換品の準備や、点検すべき部位の特定といったメンテナンス作業の準備をすることにより、燃焼炉７の停止後にメンテナンス作業の準備および実際のメンテナンス作業をする場合よりも、燃焼炉７の停止時間を短縮することが可能となる。したがって、バーナ本体２が損傷する前に燃焼炉７を停止することによりバーナ本体２の損傷を回避しつつ、バーナ装置１のメンテナンスによる燃焼炉７の稼働率の低下を抑制することができる。
【００４３】
また、幾つかの実施形態では、図２Ａ〜図３Ｂに示されるように、燃焼炉７の炉壁７１は、炉外側に向かって曲成されることによって炉外に向かって窪むよう形成された窪み部７３を有している。そして、炉内突出部２２は、窪み部７３の底部７３ｂから突出されている。このように、燃焼炉７の炉壁７１の窪み部７３から炉内突出部２２が突出することにより、窪み部７３による炉内突出部２２の主に基端側領域Ｒ２の保護を図ることができる。また、冷却管３の減耗箇所を先端側領域Ｒ１により絞るように図ることができる。
他の幾つかの実施形態では、図４に示されるように、燃焼炉７の炉壁７１は上述した窪み部７３は形成されておらず、炉内突出部２２は、重力の方向に沿って平坦状に形成された炉壁７１から突出されていても良い。
【００４４】
次に、光検出手段６の具体的な構成について、説明する。
幾つかの実施形態では、図２Ａ〜図５Ｄに示されるように、光検出手段６は、冷却管３の内部に設置される、光を伝送するための光伝送部材６１と、光伝送部材６１によって伝送された冷却管３内からの光を検出する光検出器６４と、を有する。図２Ａ〜図５Ｄに示される実施形態では、光伝送部材６１は光ファイバ６２である。光ファイバ６２は、冷却管３の内部に光ファイバ６２の先端６２ｔ（つまり、光伝送部材６１の先端６２ｔ）が位置するように設置されると共に、その他端は、光検出器６４に接続されている。つまり、光ファイバ６２は、光ファイバ６２の先端６２ｔから内部へ入射した光を光検出器６４に伝送（伝搬）するように構成されている。このように、燃焼炉７の高温環境に耐えることが可能な光ファイバ６２を炉内に設置することによって、冷却管３内の光を光検出器６４に適切に伝送することができる。ただし、本実施形態に限定されず、他の幾つかの実施形態では、光伝送部材６１は光ファイバ６２ではない、他の光伝送部材６１によって構成されても良い。
【００４５】
一方、図２Ａ〜図５Ｄに示される実施形態では、光検出器６４は、例えば、光を検出可能なフォトダイオード（半導体）などの光検出部６５を備えている。そして、光検出器６４と光ファイバ６２（光伝送部材６１）とは、光ファイバ６２によって冷却管３から伝送（伝搬）された光が光検出部６５に入射するように接続されており、光検出器６４（フォトダイオード）は受光した光に応じた電流を流す。このため、光検出器６４は、光検出部６５の電流値に基づいて、冷却管３の内部の光の状況を検出することが可能となる。また、図２Ａ〜図５Ｄに示される実施形態では、光検出器６４は、燃焼炉７の炉外に設置されている。このように、光検出器６４を高温の環境となる炉内に設置せずに、比較的低温となる炉外に設置することで、光検出器６４を熱から保護することができ、光検出手段６の信頼性の向上を図ることができる。
【００４６】
上記の構成によれば、冷却管３の内部の光は光伝送部材６１（例えば光ファイバ６２）によって光検出器６４に伝送されると共に、光検出器６４によって冷却管３の内部の光が検出されることにより、燃焼炉７の運転時における冷却管３の破損（穴）の監視、検出がなされる。これによって、炉内の高温環境に光検出器６４を設置することなく、光検出手段６によって冷却管３の内部の光を適切に検出することができ、燃焼炉７の運転時において冷却管３の破損（穴）を適切に検出することができる。
【００４７】
また、幾つかの実施形態では、図２Ａ〜図５Ｄに示されるように、光ファイバ６２は、複数の光ファイバ６２からなり、複数の光ファイバ６２の各々の先端６２ｔは、冷却管３における相互に異なる位置にそれぞれ配置されている。光ファイバ６２の数は１本など少ない方が光検出手段６を簡素化し、コストを抑制できるなどの優位性があるところ、このように複数の光ファイバ６２を設置したのは、光ファイバ６２は、その先端６２ｔから内部へ入射した光を伝搬することによる。すなわち、冷却管３は炉内突出部２２の周囲を取り囲むように設置されているため、ある位置に先端６２ｔが配置された光ファイバ６２にとっては、例えばバーナ本体２の中心を挟んだ反対側に生じた破損（穴）からの光は比較的届きにくく、このような届きにくい光を他の光ファイバ６２によってカバーしようとするものである。よって、複数の光ファイバ６２の先端６２ｔの各々を互いに異なる位置に配置することにより、炉内突出部２２を取り囲む冷却管３の様々な位置に生じ得る破損個所からの光を感度良く検出することが可能となる。
【００４８】
図２Ａ〜図５Ｄに示される実施形態では、光検出器６４には２本の光ファイバ６２が接続されている。そして、図２Ｂ、図３Ｂ、図５Ｃに示されるように、バーナ本体２の燃料供給路２４の中心を通る水平線ｈに対して右回り（時計回り）に角度θを定義すると、複数の光ファイバ６２のうちの一本目となる第１光ファイバ６２ａは、その先端６２ｔが０度付近に位置するように設置されている。また、二本目となる第２光ファイバ６２ｂは、その先端６２ｔが１２０度付近に位置するように設置されている。これは、燃焼炉７の運転時に破損しやすい冷却管３の破損は、−３０度から２１０度の範囲で生じ易いため、複数の光ファイバ６２によって、この範囲をカバーするためである。
【００４９】
ただし、本実施形態には限定されず、１以上の光ファイバ６２の先端６２ｔを３６０度の範囲のいずれかに配置することができる。例えば、他の幾つかの実施形態では、３本の光ファイバ６２を、その各々の先端６２ｔが−６０度、６０度、１８０度のそれぞれに位置するように、配置しても良い。その他の幾つかの実施形態では、１本の光ファイバ６２のみ用いると共に、その先端６２ｔの位置および配向を設定しても良い。例えば、光ファイバ６２の先端６２ｔが、３０度や１５０度の位置で斜め上方を向くように配置しても良い。また、その他の幾つかの実施形態では、例えば、過去の事例などに基づいて特定された冷却管３の破損が生じやすい位置からの光を感度良く検出可能なように、１以上の光ファイバ６２（先端６２ｔ）を配置しても良い。
【００５０】
あるいは、その他の幾つかの実施形態では、一本の光ファイバ６２において、コアが露出するようにクラッドを部分的に取り除いた部分（光入射窓）を例えば所定間隔などで複数形成し、このような光ファイバ６２を冷却管３の流路に沿って配置しても良い。配置する箇所は、先端側冷却管３１の上述した範囲などの少なくとも一部のみでも良いし、先端側冷却管３１に加えて、基端側冷却管３２の少なくとも一部であっても良い。光入射窓は、光ファイバ６２の周囲に沿って環状に形成されても良いし、その周囲における冷却管３の外周と対面する部分などの一部であっても良い。これによって、光ファイバ６２を冷却管３により形成される流路に沿って設置することにより、複数の光入射窓が冷却管３の外周壁の相互に異なる複数個所に対向するように配置されるので、炉内突出部２２を取り囲む冷却管３の様々な位置に生じ得る破損個所からの光を感度良く検出することが可能となる。
【００５１】
上記の構成によれば、冷却管３における相互に異なる複数の位置での破損（穴）の発生の有無を、複数の光ファイバ６２の各々によってそれぞれ監視することができ、冷却管３の破損（穴）の発生により生じる光の変化をより感度良く検出することができる。
【００５２】
なお、上述した、図２Ａ〜図４に示される実施形態では、例えば光ファイバ６２などの光伝送部材６１は、冷却媒体供給管４を介して冷却管３の内部に設置されている。他の幾つかの実施形態では、図５Ａ〜図５Ｄに示されるように、例えば光ファイバ６２などの光伝送部材６１は、冷却媒体供給管４および冷却媒体排出管５のそれぞれを介して冷却管３の内部に設置されていても良い。その他の幾つかの実施形態では、例えば光ファイバ６２などの光伝送部材６１は、冷却媒体排出管５のみを介するなどして、冷却管３の出口３ｅ側から内部に設置されても良い。
【００５３】
また、幾つかの実施形態では、図２Ａ〜図５Ｄに示されるように、光伝送部材６１は、先端側冷却管３１の内部に設置される。換言すれば、光伝送部材６１は、炉内突出部２２の外周面の先端側領域Ｒ１を取り囲む冷却管３の内部に設置される。このようにバーナ装置１を構成したのは、燃焼炉７の運転時において、炉内の火炎による輻射や熱気流、炉内で生じる溶融スラグなどによる冷却管３の破損（穴）は、炉内突出部２２の外周面のうち、特に、先端側領域Ｒ１を取り囲む冷却管３に破損（穴）が生じやすいことが見出されたことによる。
【００５４】
上記の構成によれば、炉内突出部２２の先端側領域Ｒ１を取り囲む先端側冷却管３１の内部に光伝送部材６１（例えば光ファイバ６２）が設置される。これによって、冷却管３の破損を、より破損の可能性が高い箇所に絞って監視することができるので、燃焼炉７の運転時における冷却管３の破損を効率的に早期に検出することができる。なお、先端側冷却管３１および基端側冷却管３２は相互に接続された冷却管３であっても良いし、互いに独立した冷却管３であっても良い。
【００５５】
上記の実施形態では、さらに、図３Ａ〜図５Ｄに示されるように、バーナ装置１は、さらに、先端側冷却管３１に冷却媒体Ｗを供給するための第１冷却媒体供給管４１と、基端側冷却管３２に冷却媒体Ｗを供給するための第２冷却媒体供給管４２と、を備えていても良い。すなわち、図３Ａ〜図５Ｄに示される実施形態では、バーナ本体２の炉内突出部２２には、その先端側領域Ｒ１を冷却するための冷却系統（先端側冷却管３１および第１冷却媒体供給管４１）、および、基端側領域Ｒ２を冷却するための冷却系統（基端側冷却管３２および第２冷却媒体供給管４２）の２つの冷却系統が設けられている。これによって、先端側冷却管３１のみ交換等をすることができるので、メンテナンス作業を効率的に行うことができ、バーナ装置１のメンテナンスによる燃焼炉７の稼働率の低下をさらに抑制することができる。また、上記の構成によれば、後述するバーナ装置１の冷却媒体制御方法を実行することが可能なバーナ装置１を提供することができる。
【００５６】
次に、冷却管３の構造に関する幾つかの実施形態について、説明する。
幾つかの実施形態では、図２Ａ〜図４に示されるように、基端側冷却管３２は、炉内突出部２２の外周面に巻回されている。換言すれば、管状の基端側冷却管３２が、炉内突出部２２の基端側領域Ｒ２において螺旋状に複数回巻き回されている。一方、先端側冷却管３１は、図２Ａ〜図４に示される実施形態では、管状の基端側冷却管３２が一周分だけ巻かれることによって先端側領域Ｒ１をカバーしている。ただし、本実施形態に限定されず、他の幾つかの実施形態では、先端側冷却管３１が複数回巻かれることによって先端側領域Ｒ１をカバーしても良い。このようにして、基端側冷却管３２をバーナ本体２に設置することができる。
【００５７】
また、他の幾つかの実施形態では、図５Ａ〜図５Ｄに示されるように、基端側冷却管３２は、冷却媒体Ｗが流通するための、基端側領域Ｒ２を覆う円筒状の流路を形成する。詳述すると、バーナ装置１は、バーナ本体２の外周面を取り囲む（覆う）ように設けられた円筒状の形状を有する外周管４６を、さらに備えている。そして、外周管４６によって炉内突出部２２が取り囲まれることによって、バーナ本体２の外壁と外周管４６との間に円筒状の空間が形成されている（図５Ａ、図５Ｃ、図５Ｄ参照）。さらに、この、バーナ本体２と外周管４６とにより形成された上記の円筒状の空間は、円筒状の形状を有する内部壁３３によって、バーナ本体２側の円筒状の内側空間と、その外周側に位置する円筒状の外側空間とに分割されている。また、バーナ本体２の外壁と上記の内部壁３３との間に形成された円筒状の内側空間と、内部壁３３と外周管４６との間に形成された円筒状の外側空間は、炉内突出部２２の先端側領域Ｒ１と基端側領域Ｒ２との境界において領域境界隔壁４７で閉じられると共に、領域境界隔壁４７に沿ってその基端部２２ｂ側に形成された連通路４８によって互いに連通されている。そして、上述のようにして形成された円筒状の内側空間に、第２冷却媒体供給管４２から冷却媒体Ｗが供給されるように構成される。
【００５８】
すなわち、炉内突出部２２の外周面の基端側領域Ｒ２と、その外周側に位置する上記の内部壁３３と、領域境界隔壁４７とによって、炉内突出部２２の外周面の基端側領域Ｒ２を取り囲む基端側冷却管３２が形成されている。このようにして、基端側冷却管３２をバーナ本体２に設置することができる。また、上記の内部壁３３と、その外周側に位置する外周管４６と、領域境界隔壁４７とによって、第２冷却媒体排出管５２が形成されている。このため、図５Ａに示されるように、第２冷却媒体供給管４２から供給された冷却媒体Ｗは、炉内突出部２２の基端側領域Ｒ２を取り囲む基端側冷却管３２によって形成された円筒状の流路を、基端部２２ｂ側から先端部２２ｔ側に向けて流れる。その後、連通路４８通って、この基端側冷却管３２の外側に沿って形成された第２冷却媒体排出管５２に流入し、先端部２２ｔの側から基端部２２ｂの側に向かって第２冷却媒体排出管５２を流れる。
【００５９】
一方、図５Ａ〜図５Ｄに示される実施形態では、炉内突出部２２の外周側に位置する上述した外周管４６は、上記の領域境界隔壁４７を越えて炉内突出部２２の先端部２２ｔまで伸びており、外周管４６の先端と炉内突出部２２の先端部２２ｔとは、円筒状の炉内突出部２２の径方向に延在する封止壁４９によって連結されることで、閉じられている。すなわち、炉内突出部２２の外周面の先端側領域Ｒ１と、その外周側に位置する外周管４６と、領域境界隔壁４７と、封止壁４９とによって、先端側領域Ｒ１を取り囲む環状の先端側冷却管３１が形成されている（図５Ａ〜図５Ｂ参照）。
【００６０】
また、図５Ｃに示されるように、環状に形成された先端側冷却管３１の内部は、隔壁３１ｓによって内部が分割されている。このため、第１冷却媒体供給管４１を介して入口３１ｉから流入した冷却媒体Ｗは、先端側冷却管３１の内部において、この隔壁３１ｓを迂回するように流れることで、出口３１ｅに向かう。図５Ａ〜図５Ｄに示される実施形態では、図５Ｃに示されるように、先端側冷却管３１の入口３１ｉと出口３１ｅとは隔壁３１ｓを挟んで隣接するように設けられているため、冷却媒体Ｗは、炉内突出部２２の外周を一周するようにして、先端側冷却管３１を入口３１ｉから出口３１ｅに流れる。
【００６１】
そして、図５Ａ、図５Ｃ〜図５Ｄに示されるように、第１冷却媒体供給管４１は、基端側冷却管３２により形成される流路の内部に設置されている。つまり、第１冷却媒体供給管４１は、基端側冷却管３２の内部において、炉内突出部２２の基端部２２ｂ側から先端部２２ｔ側まで延在しており、先端部２２ｔ側の端部において先端側冷却管３１に接続している。また、第１冷却媒体排出管５１も、基端側冷却管３２により形成される流路の内部に設置されている。これによって、第１冷却媒体供給管４１や第１冷却媒体排出管５１を基端側冷却管３２の外部に設置するよりも、バーナ装置１をコンパクト化することができる。
【００６２】
以上、本発明の幾つかの実施形態に係るバーナ装置１について説明した。次に、上述した構成を備えるバーナ装置１の冷却管３（先端側冷却管３１および基端側冷却管３２）の破損を検出するバーナ装置１の冷却管破損検出方法について、図６を用いて説明する。図６は、本発明の一実施形態に係るバーナ装置１の冷却管破損検出方法を示すフロー図である。図６に示されるように、バーナ装置１の冷却管破損検出方法は、バーナ本体冷却ステップ（Ｓ６１）と、冷却管内部光監視ステップ（Ｓ６２）と、破損判定ステップ（Ｓ６３〜Ｓ６４）と、を備える。以下、図６のフローに沿って、本発明の一実施形態に係るバーナ装置１の冷却管破損検出方法を説明する。
【００６３】
図６のステップＳ６１においてバーナ本体冷却ステップが実行される。バーナ本体冷却ステップ（Ｓ６１）は、冷却管３に冷却媒体Ｗを供給するステップである。換言すれば、バーナ本体冷却ステップ（Ｓ６１）は、バーナ本体２（炉内突出部２２の外周面となる先端側領域Ｒ１および基端側領域Ｒ２）の冷却を開始するステップである。図２Ａ〜図２Ｂに示される実施形態では、冷却媒体供給管４を介して冷却管３に冷却媒体Ｗを供給すると、冷却媒体Ｗは、冷却管３における先端側冷却管３１の部分と基端側冷却管３２の部分を順に流れることで、バーナ本体２を冷却する。他方、図３Ａ〜図５Ｄに示される実施形態では、第１冷却媒体供給管４１を介して先端側冷却管３１に冷却媒体Ｗを供給することにより炉内突出部２２の先端側領域Ｒ１を冷却する。また、第２冷却媒体供給管４２を介して基端側冷却管３２に冷却媒体Ｗを供給することにより炉内突出部２２の基端側領域Ｒ２を冷却する。これによって、バーナ本体２が冷却される。具体的には、幾つかの実施形態では、冷却媒体供給管４に冷却媒体Ｗを流すためのポンプ９２を起動させても良い。他の幾つかの実施形態では、ポンプ９２の起動と共に、冷却媒体供給管４に設置された、冷却媒体Ｗの流量を制御することが可能な流量制御弁９４を開けることによって、行っても良い。なお、バーナ本体冷却ステップ（Ｓ６１）は、燃焼炉７の運転の開始と共に実行されても良い。
【００６４】
図６のステップＳ６２において冷却管内部光監視ステップが実行される。冷却管内部光監視ステップ（Ｓ６２）は、上述した光検出手段６により、冷却管３の内部の光を監視するステップである。より詳細には、冷却管内部光監視ステップ（Ｓ６２）は、光検出器６４の検出値を例えば周期的に確認することによって、監視する。
【００６５】
そして、ステップＳ６３〜ステップＳ６４において、破損判定ステップが実行される。破損判定ステップ（Ｓ６３〜Ｓ６４）は、上記の冷却管内部光監視ステップ（Ｓ６２）による監視結果に基づいて、冷却管３に破損が生じたか否かを判定するステップである。上述したように、光検出手段６を用いて検出される冷却管３の内部の光の状況（照度や光強度など）は、冷却管３に破損（穴）が生じると、冷却管３に破損（穴）が生じていない正常時に比べて大きくなる。したがって、正常時と判定可能な判定閾値よりも光検出手段６の検出値が大きくなった場合には、冷却管３に破損が生じたと判定し、この判定閾値以下の場合には冷却管３に破損が生じていないと判定する。具体的には、ステップＳ６３において、冷却管内部光監視ステップによって得られる光検出手段６の検出値と上記の判定閾値とを比較し、比較の結果、光検出手段６の検出値が判定閾値以下の場合には、冷却管３に破損が生じていないと判定できるので、ステップＳ６２に戻る。逆に、ステップＳ６３における比較において、光検出手段６の検出値が判定閾値よりも大きい場合には、ステップＳ６４において、冷却管３に破損（穴）が生じたと判定する。ステップＳ６４の後に、図６のフローを終了する。なお、図６のフローは、燃焼炉７の運転が停止された場合にも終了する。
【００６６】
上記の構成によれば、光検出手段６によって検出される光を監視することにより、冷却管３に破損（穴）が生じたことをより早期に検出することができる。
【００６７】
次に、図３Ａ〜図５Ｄに示されるような、複数の冷却系統を備えるバーナ装置１の冷却管３（先端側冷却管３１および基端側冷却管３２）に対する冷却媒体Ｗの供給を制御するバーナ装置の冷却媒体制御方法について、図７を用いて説明する。図７は、本発明の一実施形態に係るバーナ装置１の冷却媒体制御方法を示すフロー図である。図７に示されるように、バーナ装置１の冷却媒体制御方法は、先端側領域冷却ステップ（Ｓ７１）と、基端側領域冷却ステップ（Ｓ７２）と、冷却管内部光監視ステップ（Ｓ７３）と、破損判定ステップ（Ｓ７４〜Ｓ７５）と、先端側領域冷却停止ステップ（Ｓ７６）と、を備える。以下、図７のフローに沿って、本発明の一実施形態に係るバーナ装置１の冷却媒体制御方法を説明する。
【００６８】
図７のステップＳ７１において先端側領域冷却ステップが実行される。先端側領域冷却ステップ（Ｓ７１）は、第１冷却媒体供給管４１から先端側冷却管３１に冷却媒体Ｗを供給するステップである。換言すれば、先端側領域冷却ステップ（Ｓ７１）は、先端側領域Ｒ１の冷却を開始するステップである。また、ステップＳ７２において基端側領域冷却ステップ実行される。基端側領域冷却ステップ（Ｓ７２）は、第２冷却媒体供給管４２から基端側冷却管３２に冷却媒体Ｗを供給するステップである。換言すれば、基端側領域冷却ステップ（Ｓ７２）は、基端側領域Ｒ２の冷却を開始するステップである。具体的には、幾つかの実施形態では、第１冷却媒体供給管４１および第２冷却媒体供給管４２に冷却媒体Ｗを流すためのポンプ９２を起動させても良い。他の幾つかの実施形態では、ポンプ９２の起動と共に、第１冷却媒体供給管４１および第２冷却媒体供給管４２にそれぞれ設置された、冷却媒体Ｗの流量を制御することが可能な流量制御弁（９４、９５）をそれぞれ開けることによって、行っても良い。なお、これらのステップ（Ｓ７１〜Ｓ７２）は、燃焼炉７の運転の開始と共に実行されても良い。なお、先端側領域冷却ステップ（Ｓ７１）および基端側領域冷却ステップ（Ｓ７２）は同時に実行されても良いし、基端側領域冷却ステップ（Ｓ７２）の後に、先端側領域冷却ステップ（Ｓ７１）を実行しても良い。
【００６９】
ステップＳ７３において、おいて冷却管内部光監視ステップが実行される。冷却管内部光監視ステップ（Ｓ７３）は、上述した光検出手段６により、冷却管３の内部の光を監視するステップである。本ステップは、図６を用いて説明した冷却管内部光監視ステップ（図６のＳ６２）と同じであるため、ここでは説明を省略する。
【００７０】
そして、ステップＳ７４〜ステップＳ７５において、破損判定ステップが実行される。破損判定ステップ（Ｓ７４〜Ｓ７５）は、上記の冷却管内部光監視ステップ（Ｓ７３）による監視結果に基づいて、冷却管３に破損が生じたか否かを判定するステップである。本ステップ（Ｓ７４〜Ｓ７５）は、図６を用いて説明した破損判定ステップ（図６のＳ６３〜Ｓ６４）と同じであるため、ここでは説明を省略する。
【００７１】
その後、ステップＳ７６において先端側領域冷却停止ステップが実行される。先端側領域冷却停止ステップ（Ｓ７６）は、破損判定ステップ（Ｓ７４〜Ｓ７５）によって先端側冷却管３１に破損が生じたと判定した場合に、先端側冷却管３１への冷却媒体Ｗの供給のみを停止するステップである。つまり、先端側冷却管３１への冷却媒体Ｗの供給を停止する一方で、基端側冷却管３２への冷却媒体Ｗの供給を継続する。具体的には、例えば、幾つかの実施形態では、先端側冷却管３１に接続される第１冷却媒体供給管４１へ冷却媒体Ｗを供給するためのポンプ９２を停止しても良い。他の幾つかの実施形態では、第１冷却媒体供給管４１に設置された流量制御弁９４を閉じることによって、先端側冷却管３１への冷却媒体Ｗの供給を停止しても良い。なお、基端側冷却管３２への冷却媒体Ｗの供給は継続されたままとなる。つまり、先端側冷却管３１への冷却媒体Ｗの供給が停止され、かつ、基端側冷却管３２への冷却媒体Ｗの供給が継続されつつ、燃焼炉７の運転が継続されている状況となる。
【００７２】
そして、上記のステップＳ７６の後に図７のフローを終了する。ステップＳ７６の後には、上記の状況で燃焼炉７の運転を継続している間に、交換部材の調達、作業員の手配などといったメンテナンス作業の準備が行われる。そして、この準備が整った後に、燃焼炉７の運転を停止し、実際のメンテナンス作業を実行する。なお、図７の上述した先端側領域冷却停止ステップ（Ｓ７６）は、メンテナンス作業の準備のために必要な場合に実行しても良い。具体的には、先端側冷却管３１からの冷却媒体Ｗの漏水の影響により、燃焼炉７の運転を停止する必要があると判定した場合に、先端側領域冷却停止ステップ（Ｓ７６）を実行しても良い。
【００７３】
上記の構成によれば、バーナ装置１において、炉内突出部２２の冷却管３は先端側領域Ｒ１と基端側領域Ｒ２との各々に別系統で設けられているので、光検出手段６によって冷却管３の破損（穴）が生じたと判定された場合には、光検出手段６が設置された先端側冷却管３１への冷却媒体Ｗの供給のみを停止することが可能である。つまり、この場合には、光検出手段６が設置された先端側冷却管３１への冷却媒体Ｗの供給を停止することにより、先端側冷却管３１からの炉内への冷却媒体Ｗの漏出を停止しつつ、基端側冷却管３２によるバーナ本体２の冷却を継続することができる。換言すれば、基端側冷却管３２による冷却によってバーナ本体２の焼損を回避することにより、燃焼炉７の運転の停止を即座に行わずに先延ばしすることができる。つまり、先端側冷却管３１からの冷却媒体Ｗの漏出の検出から燃焼炉７の運転停止までの猶予期間をさらに延長することができ、メンテナンスの準備のための時間が十分に取れるように図ることができる。
【００７４】
本発明は上述した実施形態に限定されることはなく、上述した実施形態に変形を加えた形態や、これらの形態を適宜組み合わせた形態も含む。
例えば、上述した実施形態では燃焼炉７をガス化炉として説明したが、燃焼炉７は、ガス化溶融炉、産業廃棄物の溶融プラントに設置される溶融炉など、溶融スラグを内部に収容する湿式炉であっても良い。また、上述した実施形態では、バーナ装置１は、石炭燃料をガス化するガス化炉に備えられているものを例に説明したが、バーナ装置１は、バイオマス燃料などの他の燃料をガス化するためのガス化炉（燃焼炉７）が備えるものであっても良い。
【符号の説明】
【００７５】
１      バーナ装置
１２    微粉炭バーナ
１４    チャーバーナ
１６    ガス化バーナ
２      バーナ本体
２２    炉内突出部
２２ｂ  基端部
２２ｔ  先端部
２４    燃料供給路
２５    酸化剤供給路
２６    燃料供給管部
３      冷却管
３ｉ    冷却管の入口
３ｅ    冷却管の出口
３１    先端側冷却管
３１ｉ  先端側冷却管の入口
３１ｅ  先端側冷却管の出口
３２    基端側冷却管
３２ｉ  基端側冷却管の入口
３２ｅ  基端側冷却管の出口
３１ｓ  隔壁
３３    内部壁
４      冷却媒体供給管
４１    第１冷却媒体供給管
４２    第２冷却媒体供給管
４６    外周管
４７    領域境界隔壁
４８    連通路
４９    封止壁
５      冷却媒体排出管
５１    第１冷却媒体排出管
５２    第２冷却媒体排出管
６      光検出手段
６１    光伝送部材
６２    光ファイバ
６２ａ  第１光ファイバ
６２ｂ  第２光ファイバ
６２ｔ  先端
６４    光検出器
７      燃焼炉
７ｃ    コンバスタ部
７ｒ    リダクタ部
７１    炉壁
７２    排出口
７３    窪み部
７３ｂ  窪み部の底部
７５    耐火材
８１    微粉炭供給経路
８２    酸化剤供給経路
８３    チャー供給流路
９      冷却媒体供給装置
９１    貯水タンク
９２    ポンプ
９４    流量制御弁
９５    流量制御弁
Ｒ１    先端側領域
Ｒ２    基端側領域
Ｗ      冷却媒体
ｈ      燃料供給路の中心を通る水平線
【図１】
2018066524.tif 000003
【図２Ａ】
2018066524.tif 000004
【図２Ｂ】
2018066524.tif 000005
【図３Ａ】
2018066524.tif 000006
【図３Ｂ】
2018066524.tif 000007
【図４】
2018066524.tif 000008
【図５Ａ】
2018066524.tif 000009
【図５Ｂ】
2018066524.tif 000010
【図５Ｃ】
2018066524.tif 000011
【図５Ｄ】
2018066524.tif 000012
【図６】
2018066524.tif 000013
【図７】
2018066524.tif 000014